(57)【要約】      （修正有）【課題】物品落下防止用巾木の取り付け取り外しに手間がかからず、かつ、安定した取り付けが行えるとともに、見栄え良く取り付けが行える物品落下防止用巾木の支持具を提供する。さらには、足場板と物品落下防止用巾木との間より物品の落下することが確実に防止される安全性に優れる物品落下防止用巾木の支持具を提供する。【解決手段】仮設足場の足場板への取り付け部２と物品落下防止用巾木の支持部４とが一体に備えられ、支持部４が、物品落下防止用巾木に設けられた支持用穴に支持部４が嵌め入れられた状態において物品落下防止用巾木を足場板の側位置に沿って立設支持する第１支持部１３と、物品落下防止用巾木を足場板の側位置下方に吊り下げ支持する第２支持部１４とを備えてなることを特徴とする物品落下防止用巾木の支持具１。【選択図】図１
0003156975.tif 000002
【実用新案登録請求の範囲】
【請求項１】
仮設足場の足場板への取り付け部と物品落下防止用巾木の支持部とが一体に備えられ、  前記支持部が、前記物品落下防止用巾木に設けられた支持用穴に前記支持部が嵌め入れられた状態において前記物品落下防止用巾木を前記足場板の側位置に沿って立設支持する第１支持部と、前記物品落下防止用巾木を前記足場板の側位置下方に吊り下げ支持する第２支持部とを備えてなることを特徴とする物品落下防止用巾木の支持具。
【請求項２】
前記取り付け部が、前記足場板に上面から弾力的に嵌め込まれて取り付けられることを特徴とする請求項１記載の物品落下防止用巾木の支持具。
【請求項３】
前記取り付け部が、前記足場板の側部の外面に固定されて取り付けられることを特徴とする請求項１記載の物品落下防止用巾木の支持具。
【請求項４】
前記固定がボルトにより行われ、かつ、そのボルト固定位置が、前記足場板の前記側部の内面である請求項３記載の物品落下防止用巾木の支持具。
【考案の詳細な説明】
【技術分野】
【０００１】  この考案は、仮設足場上からの物品の落下を防止する物品落下防止用巾木の支持具に関する。
【背景技術】
【０００２】  建築現場では仮設足場上において作業を行う場合が多いが、その作業時に人が墜落したり誤って工具等を下方に落下させることがあり、きわめて危険である。そこで、最近において足場の下部の隙間からの墜落を防止するために巾木等を立設することの義務化が法制化された。
【考案の概要】
【考案が解決しようとする課題】
【０００３】  しかしながら、現状における物品落下防止用巾木の取り付けは、例えば、現場で使用している足場板もしくは敷板の両端を仮設足場の支柱に針金等によりくくり付け固定して行っており、取り付け取り外しに手間がかかるともに安定した取り付けが行えなかった。また、建造物の壁面の塗装施工時は物品落下防止用巾木が邪魔となるので、それを取り外し、また、その後再度取り付けなければならないので、その作業に非常に手間がかかった。また、取り外した際には物品落下防止用巾木を移動してどこかに保管しなければならないので、その保管スペースを確保する必要があった。さらに、支柱に物品落下防止用巾木を取り付けた場合、足場板との間に隙間が生じ、そこから物品が落下する恐れがあった。くわえて、固定用の針金等が目に触れるので見栄えも悪かった。【０００４】  この考案は上記の点に鑑みて行ったもので、物品落下防止用巾木の取り付け取り外しに手間がかからず、かつ、安定した取り付けが行えるとともに、見栄え良く取り付けが行える物品落下防止用巾木の支持具を提供することを目的とする。さらには、足場板と物品落下防止用巾木との間より物品の落下することが確実に防止される安全性に優れる物品落下防止用巾木の支持具を提供することを目的とする。【０００５】  この考案では、仮設足場の足場板への取り付け部と物品落下防止用巾木の支持部とが一体に備えられ、前記支持部が、前記物品落下防止用巾木に設けられた支持用穴に前記支持部が嵌め入れられた状態において前記物品落下防止用巾木を前記足場板の側位置に沿って立設支持する第１支持部と、前記物品落下防止用巾木を前記足場板の側位置下方に吊り下げ支持する第２支持部とを備えてなることを特徴とする物品落下防止用巾木の支持具を提供する。【０００６】  上記構成の物品落下防止用巾木の支持具によれば、第１支持部により物品落下防止用巾木が足場板の側位置に沿って立設支持され、第２支持部により足場板の側位置下方に吊り下げ支持される。物品落下防止用巾木が足場板の側位置に沿って立設支持されることで、足場板上からの物品の落下が阻止され、とくに、支持具が足場板に直接取り付けられ、物品落下防止用巾木が足場板の側位置と隙間を生じることなく位置するので、物品の落下が確実に阻止される。また、支持具により物品落下防止用巾木が吊り下げ支持されることで、物品落下防止用巾木を取り外し移動して保管する手間が省け、また、上記と逆の作業により再び物品落下防止用巾木を容易に立設させることができる。【０００７】  取り付け部が足場板に上面から弾力的に嵌め込まれて取り付けられる構成とされることで、ボルト等の固定具を用いることなく足場板への取り付けが行える。また、取り付け部が足場板の側部の外面に固定されて取り付けられる構成とされることでその形状が小さくでき、これにより支持具は嵩張ることなく軽量となり、その取り扱いが容易となる。とくに、その構成において、取り付けに使用されるボルトの固定位置が足場板の側部の内面スペースとされることで、ボルトが邪魔となることなく支持具をそのまま付けた状態として足場板を積み重ねることができる。これにより、常に足場板に支持具を取り付けた状態とできるので、その取り付け��取り外しの手間が省略できる。
【考案の効果】
【０００８】  この考案の物品落下防止用巾木の支持具によれば、物品落下防止用巾木の取り付け取り外しが簡単に行えるようになる。さらに、物品落下防止用巾木を安定して、見栄え良く取り付けできるようになる。くわえて、足場板と物品落下防止用巾木との間からの物品の落下を確実に防止できるようになる。
【図面の簡単な説明】
【０００９】
【図１】この考案の物品落下防止用巾木の支持具の外観斜視図
【図２】この考案の物品落下防止用巾木の支持具の建築現場での仮設足場における足場板への取り付け状態図
【図３】この考案の物品落下防止用巾木の支持具の足場板への取り付け説明図
【図４】この考案の物品落下防止用巾木の支持具を使用する建築現場での仮設足場における物品落下防止用巾木の取り付け説明図
【図５】この考案の物品落下防止用巾木の支持具による物品落下防止用巾木の取り付け説明図
【図６】この考案の物品落下防止用巾木の支持具による物品落下防止用巾木の取り付け説明図
【図７】この考案の物品落下防止用巾木の支持具による物品落下防止用巾木の取り付け説明図
【図８】この考案の物品落下防止用巾木の支持具による物品落下防止用巾木の取り付け説明図
【図９】この考案の物品落下防止用巾木の支持具による物品落下防止用巾木の取り付け説明図
【図１０】この考案の物品落下防止用巾木の支持具を使用する建築現場での仮設足場における物品落下防止用巾木の立設支持状態図
【図１１】この考案の物品落下防止用巾木の支持具を使用する物品落下防止用巾木の図１０と異なる側の立設支持状態図
【図１２】この考案の物品落下防止用巾木の支持具による物品落下防止用巾木の吊り下げ支持取り付け説明図
【図１３】この考案の物品落下防止用巾木の支持具を使用する建築現場での仮設足場における物品落下防止用巾木の吊り下げ支持取り付け状態図
【図１４】この考案の物品落下防止用巾木の支持具の異なる他の実施形態の外観斜視図
【図１５】この考案の物品落下防止用巾木の支持具の異なる他の実施形態の使用状態断面構成図
【図１６】この考案の物品落下防止用巾木の支持具のさらに異なる他の実施形態の外観斜視図
【図１７】この考案の物品落下防止用巾木の支持具のさらに異なる他の実施形態の使用状態断面構成図
【考案を実施するための形態】
【００１０】  図１はこの考案の物品落下防止用巾木の支持具１の外観斜視図である。支持具１は鉄製で、仮設足場の足場板２０への取り付け部２と物品落下防止用巾木３０の支持部４とからなる。取り付け部２はプレート片の両端が折り曲げられて係止部６、６とされ、一方の係止部６の端部はさらに折り曲げられて係止端８とされ、他方の係止部６の端部近傍には係止凸部１０が設けられている。支持部４は棒材よりなる垂直部材１２と上折曲部材１３と下折曲部材１４とからなり、垂直部材１２の途中部に上折曲部材１３の下端と下折曲部材１４の上端とのそれぞれが溶接により固着されて一体に構成され、さらに、下折曲部材１４の下端が一方の係止部６の側面に溶接固着されて取り付け部２に一体とされている。上記上折曲部材１３により第１支持部１００が形成され、上記下折曲部材１４により第２支持部１０１が形成される。
【００１１】  図２は建築現場での仮設足場Ｋにおける上記支持具１の足場板２０への取り付け状態を示し、一方の金属製の足場板２０の両端に近い位置それぞれに支持具１のそれぞれが取り付けられている。その取り付けは、図３に示すように、取り付け部２の一方の係止部６の係止端８を足場板２０の一方の側部下縁に係止する状態において、他方の係止部６を少し開くようにして足場板２０の他方の側部に沿って上方から嵌め込み、係止凸部１０を足場板の側部下縁に係止するようにして行う。これにより、支持具１は足場板２０に弾力的に装着固定される。
【００１２】  以下、支持具１による物品落下防止用巾木３０の支持取り付け構成を説明する。図４に示すように、物品落下防止用巾木３０は足場板２０と略同長さで１６ｃｍ程度の巾を有するもので、木質材やプラスチック材よりなり、足場板２０の支持具１が取り付けられた位置それぞれに対応する位置に支持用長穴（支持用穴）２２のそれぞれが設けられている。
【００１３】  取り付けは、図５にも示すように、物品落下防止用巾木３０を水平方向として下降する（矢印ａ）ことでその支持用長穴２２内それぞれに支持具１それぞれの支持部４それぞれの上部を嵌め入れ、物品落下防止用巾木３０の下面がほぼ足場板２０上に達した状態において、図６に示すように、外側にスライドさせ（矢印ｂ）、さらに、図７に示すように、回転させて立ち上げ（矢印ｃ）、さらに、図８、図９に示すように、下降させて（矢印ｄ）支持用長穴２２の一方端部２２ａを上折曲部材１３上に係止する。
【００１４】  このようにして、物品落下防止用巾木３０はその下部側３０ａが第１支持部１００に支持されるとともに第２支持部１０１に位置決めされることで、図１０、図１１に示すように、仮設足場Ｋにおいて足場板２０の側位置に沿って立設される。このように物品落下防止用巾木３０が位置することで、足場板２０上に落下したり足場上置いてある工具等が下方に落下することが阻止される。とくに、支持具１が足場板２０に直接取り付けられ、物品落下防止用巾木３０が足場板２０の側位置と隙間を生じることなく位置するので、物品の落下が確実に阻止される。
【００１５】  建造物の壁面施工等の際には物品落下防止用巾木３０が邪魔となるので、次のようにしてその支持位置が変えられる。物品落下防止用巾木３０を、図９から図８、図７の状態に順次戻し、次に、外側下方に回転変位させ（矢印ｅ）支持用長穴２２の他方端部２２ｂを、図１２に示すように、第２支持部１０１に係止する。このようにして、物品落下防止用巾木３０は、図１３に示すように、仮設足場Ｋにおいて足場板２の側位置下方に吊り下げ支持される。支持具１により物品落下防止用巾木３０が吊り下げ支持されることで、物品落下防止用巾木３０を取り外し移動して保管する手間が省け、また、上記と逆の作業により再び物品落下防止用巾木３０を容易に立設させることができる。
【００１６】  図１４は異なる他の実施形態の外観斜視図、図１５は同使用状態断面構成図である。この実施形態の支持具１は、その取り付け部２が足場板２０の側部６１外面に沿って取り付けられる構成となっている。取り付け部２は断面コ字型でその内面に水平に突出するように固定ボルト６０が先端がカシメ固定されて設けられている。支持具１は、取り付け部２が足場板２０の側部６１に外嵌されるとともに固定ボルト６０が側部６１に設けられた穴６２に挿通され、その固定ボルト６０にナット６３が締め付け固定されて足場板２０に取り付けられている。支持部４は上記実施形態のものと同様に棒材よりなり、上部に第１支持部１００が下部に第２支持部１０１が形成され、それらが上記実施形態と同様に機能して物品落下防止用巾木３０を立設支持し、また、吊り下げ支持する。
【００１７】  この実施形態の支持具１においては、取り付け部２が足場板２０の側部６１の外面に取り付けられる構成でその形状は小さく、これにより支持具１は嵩張ることなく軽量となり、その取り扱いが容易となる。また、取り付け部２の固定ボルト６０が足場板２０の側部６１の内面スペースに納まるように位置する。したがって、固定ボルト６０が邪魔となることがないので、図１５にも示すように、支持具１をそのまま付けた状態として、支持具１が互いに接触することがないように少し足場板２０をその長手方向においてずらすようにすれば複数段に積み重ねることができる。これにより、常に足場板２０に支持具１を取り付けた状態とできるので、その取り付け、取り外しの手間、さらには、支持具１を別途保管したり、移動する手間が省略され、非常に便利となる。
【００１８】  図１６はさらに異なる他の実施形態の外観斜視図、図１７は同使用状態断面構成図である。この実施形態の支持具１も、その取り付け部２が足場板２０の側部６１の外面に沿って取り付けられる構成となっている。取り付け部２は上下に係止部６５、６６を備え、両係止部６５、６６が足場板の上縁６７、下縁６８に係止される状態において、ネジボルト６９が係止部６６の下面に固着されたナット７０に螺入されて係止部６６の穴７１に挿通され、その先端が足場板２０の下縁６８の下面を押圧することで係止部６５が相対的に引き下げられる。これにより支持具１は係止部６５とネジボルト６９の先端との間に足場板２０の側部６１を挟持する状態において取り付け固定される。支持部４は上記他の実施形態のものと同様の構成で、かつ、同様の作用を行う。この実施形態の支持具１も、取り付け部２が足場板２０の側部６１の外面に取り付けられる構成であるのでその形状は小さくできる。
【符号の説明】
【００１９】  １    物品落下防止用巾木の支持具  ２    取り付け部  ４    支持部  ２０  足場板  ２２  支持用長穴（支持用穴）  ３０  物品落下防止用巾木  １００  第１支持部  １０１  第２支持部  Ｋ    仮設足場
【図１】
0003156975.tif 000003
【図２】
0003156975.tif 000004
【図３】
0003156975.tif 000005
【図４】
0003156975.tif 000006
【図５】
0003156975.tif 000007
【図６】
0003156975.tif 000008
【図７】
0003156975.tif 000009
【図８】
0003156975.tif 000010
【図９】
0003156975.tif 000011
【図１０】
0003156975.tif 000012
【図１１】
0003156975.tif 000013
【図１２】
0003156975.tif 000014
【図１３】
0003156975.tif 000015
【図１４】
0003156975.tif 000016
【図１５】
0003156975.tif 000017
【図１６】
0003156975.tif 000018
【図１７】
0003156975.tif 000019